【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
スピーカから放音されるテスト信号をマイクロホンによって集音することにより得られる応答信号について正値化する正値化手段と、
前記正値化手段によって正値化された応答信号の最初の山型部となる第１過渡応答部を検出する検出手段と、
前記第１過渡応答部のピーク位置あるいはその近傍を含み、正値化された前記応答信号に応じて決まるＮ（Ｎは１以上の整数）個以上の点から当該応答信号の立ち上がり点を類推する類推手段と、
前記類推手段によって類推される前記立ち上がり点と、前記テスト信号の発生タイミングとに基づいて、当該マイクロホンで集音される音声の時間遅延を算出する算出手段と
を備えることを特徴とする音響装置。
【請求項２】
請求項１に記載の音響装置であって、
前記テスト信号を放音する前記スピーカは、低音域用のものであることを特徴とする音響装置。
【請求項３】
請求項１に記載の音響装置であって、
前記類推手段は、前記２点以上の点と立ち上がり点とが対応付けられた複数の情報からなるリスト情報を参照することにより、前記立ち上がり点を類推することを特徴とする音響装置。
【請求項４】
請求項１に記載の音響装置であって、
前記類推手段は、前記２点以上の点に応じて前記立ち上がり点が決まる所定の関数に基づいて、前記立ち上がり点を類推することを特徴とする音響装置。
【請求項５】
スピーカからテスト信号を放音し、
前記スピーカから放音されるテスト信号をマイクロホンによって集音し、
前記マイクロホンによって集音して得られた応答信号を正値化し、
正値化した前記応答信号の最初の山型部となる第１過渡応答部を検出し、
検出した前記第１過渡応答部のピーク位置あるいはその近傍を含み、正値化された前記応答信号に応じて決まるＮ（Ｎは１以上の整数）個以上の点から当該応答信号の立ち上がり点を類推し、
類推して得た前記立ち上がり点と、前記テスト信号の発生タイミングとに基づいて、前記マイクロホンで集音される音声の時間遅延を算出する
ことを特徴とする時間遅延算出方法。
【請求項６】
テスト信号を発生させて、当該テスト信号をスピーカに供給して放音させるようにするテスト信号発生ステップと、
前記スピーカから放音されるテスト信号をマイクロホンによって集音することにより得られる応答信号を正値化する正値化ステップと、
前記正値化ステップにおいて正値化した応答信号の最初の山型部となる第１過渡応答部を検出する検出ステップと、
前記検出ステップにおいて検出した前記第１過渡応答部のピーク位置あるいはその近傍を含み、正値化された前記応答信号に応じて決まるＮ（Ｎは１以上の整数）個以上の点から当該応答信号の立ち上がり点を類推する類推ステップと、
前記類推ステップにおいて類推した前記立ち上がり点と、前記テスト信号の発生タイミングとに基づいて、当該マイクロホンで集音される音声の時間遅延を算出する算出ステップと
をコンピュータに実行させることを特徴とする時間遅延算出プログラム。
【手続補正２】
【補正対象書類名】明細書
【補正対象項目名】００１３
【補正方法】変更
【補正の内容】
【００１３】
上記課題を解決するため、請求項１に記載の発明の音響装置は、
スピーカから放音されるテスト信号をマイクロホンによって集音することにより得られる応答信号について正値化する正値化手段と、
前記正値化手段によって正値化された応答信号の最初の山型部となる第１過渡応答部を検出する検出手段と、
前記第１過渡応答部のピーク位置あるいはその近傍を含み、正値化された前記応答信号に応じて決まるＮ（Ｎは１以上の整数）個以上の点から当該応答信号の立ち上がり点を類推する類推手段と、
前記類推手段によって類推される前記立ち上がり点と、前記テスト信号の発生タイミングとに基づいて、当該マイクロホンで集音される音声の時間遅延を算出する算出手段と
を備えることを特徴とする。
【手続補正３】
【補正対象書類名】明細書
【補正対象項目名】００３５
【補正方法】変更
【補正の内容】
【００３５】
一方、メディア再生部１において、分離され、デコードされた音声データは、さらに５．１チャンネルのそれぞれの音声チャンネルの音声データに分離され、そのそれぞれの音声チャンネルの音声データが音場補正部３に供給される。音場補正部３は、メディア再生部１からの５．１チャンネルの各音声チャンネルのそれぞれの音声データに対して個別に処理を施すことができるものであり、各音声チャンネルに対応して遅延処理部、音質調整部、利得調整部を備えるものである。
【手続補正４】
【補正対象書類名】明細書
【補正対象項目名】００３６
【補正方法】変更
【補正の内容】
【００３６】
そして、音場補正部３は、これに供給された各音声チャンネルの音声データに対し、後述する測定機能部８からの指示パラメータに応じて遅延処理や音質調整処理や利得調整処理等を行って、当該音声データによる音声が後述するスピーカＳＰ１〜ＳＰ６のそれぞれから放音された場合に、適正な音場を形成することができるようにしている。
【手続補正５】
【補正対象書類名】明細書
【補正対象項目名】００３７
【補正方法】変更
【補正の内容】
【００３７】
音場補正部３において処理された各音声チャンネルの音声データは、スイッチ回路４を通じてパワーアンプ部５に供給される。スイッチ回路４、パワーアンプ部５のそれぞれもまた、５．１チャンネルの音声データに対応することができるものである。すなわち、スイッチ回路４は、再生処理時においては、制御部１０の制御により音場補正部３側に切り換えられ、音場補正部３からの各音声チャンネルの音声データを後段のパワーアンプ部５に供給する。
【手続補正６】
【補正対象書類名】明細書
【補正対象項目名】００４４
【補正方法】変更
【補正の内容】
【００４４】
このため、この実施の形態の再生装置においては、ウーハー遅延時間の測定に当たっては、インパルス応答を用いるのではなく、連続正弦波からなるバースト信号をテスト信号として用いる。すなわち、音場補正処理を行う場合において、テスト信号発生部６は、制御部１０の制御に応じて、正弦波のバースト信号を発生させ、これをウーハーが接続された音声チャンネルに送出して、当該テスト信号に応じた音声をウーハーから放音させる。
【手続補正７】
【補正対象書類名】明細書
【補正対象項目名】００４８
【補正方法】変更
【補正の内容】
【００４８】
このように、この実施の形態の再生装置は、測定機能部８と音場補正部３との機能により、聴取位置に応じた適正な音場を形成することができるようにしている。特に、ウーハーについては、バースト信号を用いたウーハー時間遅延の測定を行うことにより、装置に負担をかけることなく、迅速かつ正確にウーハーが接続された音声チャンネルに対する遅延量を求めることができるようにされる。
【手続補正８】
【補正対象書類名】明細書
【補正対象項目名】００５２
【補正方法】変更
【補正の内容】
【００５２】
上述もしたように、操作部１２を通じて音場補正処理の実行が指示されると、制御部１０は、テスト信号発生部６、スイッチ４、パワーアンプ５を制御し、テスト信号発生部６において発生させたテスト信号としての正弦波（サイン波）のバースト信号をウーハーから再生させるようにする。これを聴取位置に設置したマイクロホンＭＣにより集音し、集音して得た応答信号（正弦波のバースト信号に対する応答信号）を測定機能部８の加算平均部８１に供給する。
【手続補正９】
【補正対象書類名】明細書
【補正対象項目名】００５３
【補正方法】変更
【補正の内容】
【００５３】
加算平均部８１は、これに供給された複数回の応答信号を同期加算平均し、応答信号のＳＮ（Signal to Noise）レベルを大きくするようにした後に、フィルタ部８２に供給する。なお、測定環境における暗騒音レベルが比較的低い場合など１回の応答信号により以降の遅延時間算出に特に問題がない場合には、この同期加算平均処理は省略できる。フィルタ部８２は、これに供給された応答信号に対して、フィルタリングを行い、例えば、ＤＣ（Direct Current）成分及び、ウーハーでは不要な中高域成分をカットし、このフィルタリング処理後の応答信号を正値化部８３に供給する。なお、フィルタ部８２においては、応答信号の波形の形を大きく崩さないように、直線位相フィルタのように時間的な位相変化がない、または位相回転の少ないフィルタを選択すべきである。
【手続補正１０】
【補正対象書類名】明細書
【補正対象項目名】００５５
【補正方法】変更
【補正の内容】
【００５５】
実際の波形の例を示すと、テスト信号発生部６において発生させ、ウーハーから再生するテスト信号（測定信号）は、例えば、図３に示すような正弦波（１００Ｈｚ）を５波長分としたものである。これがマイクロホンＭＣによって集音することによって、図４に示すような応答信号（ウーハー応答波形）が得られる。
【手続補正１１】
【補正対象書類名】明細書
【補正対象項目名】００５９
【補正方法】変更
【補正の内容】
【００５９】
第１過渡応答部が決定すれば、その波形から立ち上がり点を推定し、結果ウーハー時間遅延を求めることが可能になる。したがって、解析対象波形について「第１過渡応答部」を自動的に探すことが重要となる。例えば、図５Ａに示したような解析対象波形の供給を受けて、「第一過渡応答部」を選択して決定する処理を行う部分が、第１過渡応答選択決定部８４である。
【手続補正１２】
【補正対象書類名】明細書
【補正対象項目名】００７７
【補正方法】変更
【補正の内容】
【００７７】
具体的には、図８に示すように、例えば、ＳＮ比が良いと考えられる図７に示した立ち上がり部分の、ピーク値、及び、ピーク値の１／２、ピーク値の３／４に対応するサンプル数を求めて、そこから波形データベース１４の情報とを照合させ、本来の立ち上がり点を推定するようにしている。
【手続補正１３】
【補正対象書類名】明細書
【補正対象項目名】００９６
【補正方法】変更
【補正の内容】
【００９６】
換言すれば、連続正弦波からなるバースト波をテスト信号（測定信号）として対象スピーカ（ウーハー）から再生し、これをマイクロホンで集音して得た応答信号の自乗波形または絶対値波形に対して、波形のうち最初の山型部となる「第1過渡応答部」を検知する。そして、検知したその山の頂部近辺を含む２ポイント以上の点から、リストもしくは特定関数を用いて、正弦波当該周波数に関する「立ち上がり点」を類推し、これにより、マイクロホンまでの設置距離とウーハー内のフィルタ遅延を含む「ウーハー時間遅延」を算出する迅速かつ正確に行うことができるようにされる。
【手続補正１４】
【補正対象書類名】明細書
【補正対象項目名】０１０４
【補正方法】変更
【補正の内容】
【０１０４】
［その他］
なお、上述した実施の形態の再生装置における、正弦波のバースト信号を発生させるテスト信号発声部６としての機能と、図２に示した測定機能部８を構成する各部の機能を、制御部１０において実行させるプログラムによって実現することももちろん可能である。すなわち、図１２のフローチャートを用いて説明した処理を行うプログラムを形成し、これを制御部１０において実行することにより、制御部１０により測定機能部８としての機能が実現され、ウーハーについてのウーハー時間遅延を測定し、適切に補正することができるようにされる。